(57)【要約】【課題】ユーザに煩雑な操作を要求することなく非接触ＩＣカード機能のロック状態を所定の条件に応じて一時的に解除することができる携帯端末を提供する。【解決手段】非接触ＩＣカード機能を備えた携帯端末は、非接触ＩＣカード機能に基づく少なくとも特定のサービスについて、利用対象としての特定の店舗や使用可能時間をロック解除条件として予め登録しておく。非接触ＩＣカード機能は通常、ロック状態（抑止状態）としておき、ユーザがある日時にある店舗において非接触ＩＣカード機能を利用しようとしたとき、その日時および店舗がロック解除条件に合致したときは、ユーザの認証操作を行うことなく、当該ロック状態を自動的に解除する。その利用終了後は再度、ロック状態に戻す。【選択図】図５
2008276367.tif 000002
【特許請求の範囲】
【請求項１】
非接触ＩＣカード機能に基づくサービスを利用することができる携帯端末であって、
非接触ＩＣカード機能に基づくサービスの利用を抑止する抑止手段と、
前記サービスを提供するサービス利用対象毎に利用可能な時間帯を登録する登録手段と、
前記非接触ＩＣカード機能に基づくサービスの利用を通常抑止状態とし、外部から前記登録されたサービス利用対象について前記非接触ＩＣカード機能へのアクセスがあったとき、現在日時が当該登録された時間帯に該当するとき前記抑止状態を自動的に解除する制御手段と
を備えたことを特徴とする携帯端末。
【請求項２】
非接触ＩＣカード機能に基づくサービスの利用の履歴情報を蓄積する手段をさらに備え、
前記登録手段は、前記履歴情報に基づくユーザの指示に応じて、前記サービスを提供するサービス利用対象毎に利用可能な時間帯の登録を行う請求項１記載の携帯端末。
【請求項３】
非接触ＩＣカード機能に基づくサービスの利用の履歴情報を蓄積する手段をさらに備え、
前記登録手段は、前記履歴情報に基づいて、所定のアルゴリズムに従って利用頻度が所定レベル以上の利用対象および時間帯を抽出して自動的に登録を行う請求項１記載の携帯端末。
【請求項４】
ユーザの操作に応じた認証処理の結果に基づいて前記抑止状態の解除を行う手段を備えた請求項１記載の携帯端末。
【請求項５】
前記登録手段は、前記サービス利用対象の利用対象識別情報、サービスの種類を登録し、前記非接触ＩＣカード機能の利用時にサービス利用対象から得られた利用対象識別情報、サービスの種類を前記登録された利用対象識別情報、サービスの種類と対比して、それらの一致を前記抑止状態の解除の条件とする請求項１記載の携帯端末。
【請求項６】
非接触ＩＣカード機能に基づくサービスを利用することができる携帯端末において動作する制御プログラムであって、
非接触ＩＣカード機能に基づくサービスの利用を抑止する抑止するステップと、
前記サービスを提供するサービス利用対象毎に利用可能な時間帯を登録するステップと、
前記非接触ＩＣカード機能に基づくサービスの利用を通常抑止状態とするステップと、
外部から前記登録されたサービス利用対象について前記非接触ＩＣカード機能へのアクセスがあったとき、現在日時が当該登録された時間帯に該当するとき前記抑止状態を自動的に解除するステップと
を携帯端末の制御部に実行させる制御プログラム。
【発明の詳細な説明】
【技術分野】
【０００１】
本発明は、非接触ＩＣカード機能に基づくサービスを利用することができる携帯端末およびその制御プログラムに関する。
【背景技術】
【０００２】
近年、交通定期券や電子決済機能を実現する非接触ＩＣカードが普及しており、非接触ＩＣカード機能を内蔵した携帯電話端末も普及しつつある。
【０００３】
非接触ＩＣカード機能は、電子決済など金銭が絡むシステムに利用されることが多いため、非接触ＩＣカード機能を搭載する携帯端末には、拾得者等の第三者の不正利用を防ぐためにパスワードや生体認証を用いたセキュリティロック機能を有しているものが多い。
【０００４】
しかしながら、従来のセキュリティロック機能は、非接触ＩＣカード機能そのものをＯｎ／Ｏｆｆするものであるため、このセキュリティロック機能を使用した場合、ユーザは非接触ＩＣカード機能を用いる度にパスワード入力による認証処理を行わなければならない。特に、折り畳み式の携帯電話端末の場合、その都度、筐体を開いてパスワードを入力し、ロックを解除する必要があり、操作が煩雑である。
【０００５】
認証処理の煩わしさを軽減するために、端末を折りたたんだまま、サイドキーを利用してロックを解除する機能を備えた携帯電話端末も提供されている。しかし、この場合もユーザにパスワード入力を強いる点では変わりなく、また、簡略化とともにセキュリティ強度も低下してしまう問題がある。
【０００６】
特許文献１には、非接触ＩＣのＩＤ番号を読み取り、解除条件として予め登録してあるＩＤ番号と比較し、その比較結果に応じて非接触ＩＣカード機能のロック状態を解除する技術、および、所定周期の間に認証を行わなかった場合に自動的にロック状態とする技術が開示されている。
【特許文献１】特開２００６−１１３７１９号公報
【発明の開示】
【発明が解決しようとする課題】
【０００７】
上述のとおり、従来、非接触ＩＣカード機能のセキュリティロックを解除するためには煩雑な操作が必要であった。
【０００８】
特許文献１に記載のＩＤ番号によるロック状態の解除によればユーザの煩雑な操作が解消されるが、第三者の不正利用を防ぐことができないという問題があった。
【０００９】
本発明はこのような背景においてなされたものであり、ユーザに煩雑な操作を要求することなく非接触ＩＣカード機能のロック状態を所定の条件に応じて一時的に解除することができる携帯端末およびその制御プログラムを提供することを企図する。
【課題を解決するための手段】
【００１０】
本発明による携帯端末は、非接触ＩＣカード機能に基づくサービスを利用することができる携帯端末であって、非接触ＩＣカード機能に基づくサービスの利用を抑止する抑止手段と、前記サービスを提供するサービス利用対象毎に利用可能な時間帯を登録する登録手段と、前記非接触ＩＣカード機能に基づくサービスの利用を通常抑止状態とし、外部から前記登録されたサービス利用対象について前記非接触ＩＣカード機能へのアクセスがあったとき、現在日時が当該登録された時間帯に該当するとき前記抑止状態を自動的に解除する制御手段とを備えたことを特徴とする。
【００１１】
一般的に、携帯端末に搭載された非接触ＩＣカード機能を用いた電子決済システムなどのサービスについては、個人の生活サイクルに合わせて使用されるため、比較的同じ店舗・同じ時間帯に使用されることが多いと推定される。
【００１２】
そこで、そのようなサービスについては、通常は携帯端末の非接触ＩＣカード機能を利用できない抑止状態（すなわちセキュリティロック状態）としておき、サービス利用対象や当該ユーザの利用時間帯などの情報を基に抑止の解除を、自動的に行うようにする。これによって、ユーザ操作による面倒な解除操作なしで一定のセキュリティを確保することができる。  本発明による制御プログラムは、非接触ＩＣカード機能に基づくサービスを利用することができる携帯端末において動作する制御プログラムであって、非接触ＩＣカード機能に基づくサービスの利用を抑止する抑止するステップと、前記サービスを提供するサービス利用対象毎に利用可能な時間帯を登録するステップと、前記非接触ＩＣカード機能に基づくサービスの利用を通常抑止状態とするステップと、外部から前記登録されたサービス利用対象について前記非接触ＩＣカード機能へのアクセスがあったとき、現在日時が当該登録された時間帯に該当するとき前記抑止状態を自動的に解除するステップとを携帯端末の制御部に実行させる。
【発明の効果】
【００１３】
本発明によれば、非接触ＩＣカード機能のセキュリティを維持しつつ、所定の条件下で特定のサービスを利用する際には、認証のための煩雑なユーザ操作を行う必要なく、一時的に抑止状態を解除して当該サービスを利用することができる。
【００１４】
サービスの使用履歴情報を蓄積することにより、サービスの種類・店舗・利用時間帯などのロック解除条件の登録を簡単に行うことができる。
【発明を実施するための最良の形態】
【００１５】
以下、本発明の好適な実施の形態について図面を参照しながら詳細に説明する。
【００１６】
図１は、本実施の形態における携帯端末の利用環境を含めたシステム全体の概略構成を示している。携帯端末１００は、この例では、非接触ＩＣカード機能を有し、種々の非接触ＩＣカードサービス利用対象２００ａ〜２００ｎ（総称して単に２００）において非接触ＩＣカードを用いたサービスを利用可能な携帯電話端末である。非接触ＩＣカードサービス利用対象２００は、店舗や自動販売機、交通機関のゲート等、非接触ＩＣカード機能を用いたサービスを提供する組織であり、各々、非接触ＩＣカードリーダライタ（Ｒ／Ｗ）２０を有する。また、サービスとは、電子マネー機能、交通券機能、定期券機能、鍵機能等、任意のサービスである。
【００１７】
本実施の携帯では、少なくとも特定のサービスについて、常時、携帯端末の非接触ＩＣカード機能を利用できないセキュリティロック状態（すなわち抑止状態）としておく。同じ店舗・同じ時間帯に使用されることが多いサービスについては、サービス利用対象が持つ固有のＩＤや当該ユーザの利用時間帯などの情報を基にセキュリティロックの解除を、自動的に行うようにする。これによって、ユーザ操作によるセキュリティロックの解除操作なしで一定のセキュリティを確保することができる。すなわち、特定のサービスについてユーザがあらかじめ指定した時間帯、かつ、指定したサービス利用対象の非接触ＩＣカードリーダライタとの通信に限り、セキュリティロックを自動的に解除することで、ユーザが感じる煩わしさを軽減する。以下では、サービス利用対象２００として店舗を例として説明する。
【００１８】
仮に、第三者が拾得した携帯端末の非接触ＩＣカード機能の不正利用を試みた場合、この携帯端末の持ち主が登録した店舗・時間帯を知ることは極めて困難であると推定される。このため、本発明の手法は、少なくとも当該指定したサービスについては、利用店舗・サービス・時間などの条件を適切に設定すれば十分に強固なセキュリティとして機能すると考えられる。
【００１９】
図２は、本実施の形態に係る携帯端末１００の概略のハードウェア構成を示すブロック図である。
【００２０】
携帯端末１００は、バス１２０で相互に接続された、制御部１０１、通信部１０３、表示部１０４、操作部１０５、メモリ１０６、カレンダ・時計部１０７、音声処理部１１０、非接触ＩＣカード機能部１１３、非接触ＩＣカードリーダ１１４、および音声処理部１１０に接続されたスピーカ１１１、マイク１１２を備えている。
【００２１】
制御部１０１は、ＣＰＵ等を含み、携帯端末１００の各部を制御する。本発明における「抑止手段」、「登録手段」、「制御手段」はいずれも制御部１０１の機能により実現される。
【００２２】
通信部１０３は、ＲＦ部、変調回路等を含み、アンテナ１０２を介して基地局との間で、通話およびメール通信等のための無線通信を行う。
【００２３】
表示部１０４は、ＬＣＤ、有機ＥＬ等の表示デバイスおよび表示駆動回路を有し、テキストや画像等の表示情報の表示を行う。
【００２４】
操作部１０５は、制御キー、テンキー等の各種のキーを有し、ユーザによる指示やデータの入力を受け付ける。
【００２５】
メモリ１０６は、ＲＯＭ，ＲＡＭ等を含み、ＣＰＵが実行するＯＳや各種アプリケーション等のプログラムやデータを記憶する。ＲＯＭには、フラッシュメモリのような再書き込み可能な不揮発性メモリを含みうる。本実施の形態におけるサービス利用履歴情報、認証許可条件設定情報、条件テーブル等もこのメモリ１０６に記憶することができる。
【００２６】
カレンダ・時計部１０７は、ＲＴＣ（Real Time Clock）等を含み、基準クロックに従ってカレンダ機能、時計機能、タイマー機能等を提供する。
【００２７】
非接触ＩＣカード機能部１１３は、情報を記憶するＩＣチップを含み、外部のリーダによりアクセスされて、無線（電波や電磁波）により当該ＩＣチップに対して情報の書き込みや読み出しが行われる。
【００２８】
非接触ＩＣカードリーダ１１４は、店舗等、端末外部にある非接触ＩＣカードに対してその記憶情報（店舗ＩＤ等）を読み出す機能部である。
【００２９】
非接触ＩＣカード機能部１１３は、少なくとも特定のサービスについて、搭載される電子マネーなどの不正利用を防ぐ目的で、制御部１０１によって通常時は読み取りができない状態（セキュリティロック状態）にされているものとする。ユーザは操作部１０５からあらかじめ設定したパスワードなどを使用して制御部１０１との間で認証処理を行うことで、非接触ＩＣカード機能部１１３を一時的に使用可能な状態にすることができる。
【００３０】
図３は、本実施の形態において非接触ＩＣカード機能を利用する度に携帯端末１００内に蓄積されるサービス利用履歴情報３００の内容例を示している。
【００３１】
各利用時に追加的に記憶される情報（レコード）は、そのサービスが利用された日時分秒を表す「利用時間」、そのサービスの識別情報である「サービスＩＤ」、そのサービスを提供している店舗の名称である「店舗名」、本発明の利用対象識別情報としての店舗の識別情報である「店舗ＩＤ」を含んでいる。なお、メモリ１０６の記憶容量の制限から、履歴情報に与えられた記憶容量の限度を超えるデータについては古い方から自動的に消去するようにしてもよい。
【００３２】
図４は、本実施の形態の認証許可条件（すなわちロック解除条件）を設定する方法の一例の説明図である。この例では、携帯端末の表示部１０４において、ユーザによる操作部１０５での所定の操作により携帯端末上のアプリケーションは、利用履歴情報をリスト形式で利用履歴表示画面４１０を表示する。この表示内容は図３に示した利用履歴情報３００に基づいている。ユーザはこのリストの中から次回以降の利用時にパスワード入力を省略したい店舗を選択する。利用履歴表示画面４１０において、ユーザが１レコードを選択すると、認証設定画面４２０が表示される。この認証設定画面４２０は、店舗情報４２１、使用許可サービス４２２、許可する時間帯のうち曜日情報４３３および時間帯情報４２４の各表示欄を有する。店舗情報４２１の欄には、利用履歴表示画面４１０で選択されたレコードの店舗名が自動的に入力される。使用許可サービス４２２の欄には、利用履歴表示画面４１０で選択されたレコードのサービスの種類が自動的に入力される。曜日情報４３３および時間帯情報４２４の欄には、デフォルトの設定内容が表示され、ユーザが自由に設定を変更することができる。
【００３３】
このようなユーザの操作により、セキュリティロックを自動的に解除する条件を記憶した条件テーブル５００（図５で後述）への条件の追加が行われる。
【００３４】
なお、携帯端末に保存された利用履歴や設定された条件テーブル５００は認証の鍵となる情報であるため、これらの情報に基づく条件テーブル５００への条件の追加時にはパスワード入力などによる認証操作をユーザに要求することが好ましい。
【００３５】
また、ここではユーザ操作により認証設定を行う例を示したが、利用履歴情報３００に基づいて、所定のアルゴリズムに従って利用頻度が所定レベル以上の店舗や時間帯等の時間的条件を抽出して自動的に認証設定データ（すなわち認証許可条件）を決定して設定するようにしてもよい。その際、ユーザにその認証設定データを提示して、ユーザの確認および必要に応じた修正を行えるようにしてもよい。
【００３６】
図５に、図４で説明した認証設定画面４２０で設定されたセキュリティロックを自動的に解除する認証許可条件を記憶した条件テーブル５００の内容例を示す。各条件は、「Ｒ／Ｗ  ＩＤ」「店舗名」「使用可能サービス」「使用可能時間」からなる。「Ｒ／Ｗ  ＩＤ」は、当該店舗のリーダライタ２０（図１）の識別情報であり、本実施の形態では、携帯端末１００に備えられた非接触ＩＣカードリーダ１１４で店舗側に設けられた非接触ＩＣカードにアクセスし、ＩＣに記憶されたリーダライタＩＤを読み取ることによって行う。「店舗名」「使用可能サービス」も同様に読み取る構成としてもよい。但し、本発明における店舗のリーダライタＩＤの取得の方法はこれに限るものではない。例えば、店舗に無線ＬＡＮ等のアクセスポイントが用意されている場合には携帯端末側に無線ＬＡＮ通信部を設けることにより、無線ＬＡＮによる情報の取得を行ってもよい。
【００３７】
また、いずれも店舗側のリーダライタ２０が非接触ＩＣカード機能部１１３にアクセスする際に、それらの情報を提供する構成とすれば、携帯端末側の非接触ＩＣカードリーダ１１４等は不要である。
【００３８】
図６は、本実施の形態における携帯端末の処理例を示すフローチャートである。この処理は、非接触ＩＣカード機能が利用されようとした場合に、起動される。そのために、携帯端末１００の非接触ＩＣカード機能部１１３（図２）は、通常、完全にその機能が抑止されるのではなく、外部のリーダライタから非接触ＩＣカード機能部へのアクセスがあったことは制御部１０１が検知できるようにしておく。
【００３９】
この処理が起動されると、制御部１０１は、まず、条件テーブル５００（図５）を参照し、現在の日時が設定されている条件のいずれかの時間的条件（曜日および時間帯）に該当するかどうかをチェックする（Ｓ２１）。
【００４０】
該当する場合には、店舗側のリーダライタＩＤおよび対応サービス情報を取得する（Ｓ２２）。そのリーダライタＩＤが、解除条件として当該登録済みのＩＤと一致すれば（Ｓ２３，Ｙｅｓ）、取得した対応サービス情報が当該許可条件として登録されているサービスと一致するかをチェックする（Ｓ２４）。一致すれば、ユーザ操作による認証を省略し、自動的にセキュリティロックを解除する（Ｓ２９）。これにより外部のリーダライタによる携帯端末内の非接触ＩＣカード機能との通信が行われ、結果的にその店舗での当該サービスの利用が行われる（Ｓ３０）。その後、再度セキュリティロック状態に戻される（Ｓ３１）。
【００４１】
上記ステップＳ２１において、現在日時が、登録されている時間的条件に該当しなかった場合は、通常のとおりの認証処理を行う（Ｓ２５）。すなわち、ユーザに対してパスワードの入力を要求し、予め設定されているパスワードとの一致を条件として認証ＯＫと判断する（Ｓ２６）。認証がＯＫでない場合には所定回の認証リトライを認める（Ｓ２７）。リトライによっても認証ＯＫとならなかった場合にはこの処理を終了する。その際には、ユーザにその旨を表示や音または音声等により通知するようにしてもよい。
【００４２】
ステップＳ２６において認証ＯＫの場合、通信を行ったリーダライタの情報を取得し、現在日時とともに、そのサービス利用についての履歴情報としてメモリ１０６内のサービス利用履歴情報３００に追加的に記録する（Ｓ２８）。ついで、ステップＳ２９へ移行し、上述の通りセキュリティロックを解除する。
【００４３】
上記ステップＳ２３において、リーダライタＩＤが当該登録済みのＩＤと一致しない場合、および、上記ステップＳ２４において対応サービス情報が当該許可条件として登録されているサービスと一致しない場合も、ステップＳ２５へ進み、上述したような認証処理を行う。
【００４４】
以上により、ユーザは、条件登録済みの店舗では、セキュリティロック解除のための操作を行うことなく非接触ＩＣカードサービスを利用することができる。
【００４５】
以上、本発明の好適な実施の形態について説明したが、上記で言及した以外にも種々の変形、変更を行うことが可能である。例えば、携帯端末として携帯電話端末を例として説明したが、これに限るものではない。例えば、ＰＤＡ、小型ＰＣ、ゲーム機等、任意の携帯型電子機器であってもよい。
【図面の簡単な説明】
【００４６】
【図１】本発明の実施の形態における携帯端末の利用環境を含めたシステム全体の概略構成を示す図である。
【図２】本発明の実施の形態に係る携帯端末の概略のハードウェア構成を示すブロック図である。
【図３】本発明の実施の形態において非接触ＩＣカード機能を利用する度に携帯端末内に蓄積されるサービス利用履歴情報の内容例を示す図である。
【図４】本発明の実施の形態の認証許可条件を設定する方法の一例の説明図である。
【図５】図４で説明した認証設定画面で設定されたセキュリティロックを自動的に解除する条件を記憶した条件テーブルの内容例を示す図である。
【図６】本発明の実施の形態における携帯端末の処理例を示すフローチャートである。
【符号の説明】
【００４７】
２０…リーダライタ（Ｒ／Ｗ）、１００…携帯端末、１０１…制御部、１０２…アンテナ、１０３…通信部、１０４…表示部、１０５…操作部、１０６…メモリ、１０７…カレンダ・時計部、１１０…音声処理部、１１１…スピーカ、１１２…マイク、１１３…非接触ＩＣカード機能部、１１４…非接触ＩＣカードリーダ、１２０…バス、２００…サービス利用対象、３００…サービス利用履歴情報、４１０…利用履歴表示画面、４２０…認証設定画面、４２１…店舗情報、４２２…使用許可サービス、４２４…時間帯情報、４３３…曜日情報、５００…条件テーブル
【図１】
2008276367.tif 000003
【図２】
2008276367.tif 000004
【図３】
2008276367.tif 000005
【図４】
2008276367.tif 000006
【図５】
2008276367.tif 000007
【図６】
2008276367.tif 000008